(57)【要約】【課題】  別体のクリップを使用することなく、ペーパークリップ機能を持たせた、加工工数が少なく低コストのスタンドボードを提供する。【解決手段】  ボード本体２と、該ボード本体２の上部に取付けられた上枠３と、ボード本体２の下部に取付けられた支持脚５とを備えたスタンドボードにおいて、上枠３に、ペーパーＰをクリップするペーパークリップ部８を設ける。【選択図】図２
2005144689.tif 000002
【特許請求の範囲】
【請求項１】
上下方向を向くボード本体と、該ボード本体の上部に取付けられた上枠と、ボード本体の下部に取付けられた支持脚とを備えるスタンドボードにおいて、
前記上枠に、ペーパーをクリップするペーパークリップ部を設けたことを特徴とするスタンドボード。
【請求項２】
ペーパークリップ部を、ボード本体の上端面に当接する基部から垂直部を垂下させ、該垂直部の外方に、下部が垂直部に漸近するように傾斜する傾斜部を設け、前記垂直部と傾斜部との間の空間部にクリップローラを挿入し、前記垂直部とクリップローラとの間でペーパーをクリップするものとしたことを特徴とする請求項１記載のスタンドボード。
【請求項３】
ペーパークリップ部を、ボード本体の上端面に当接する基部から垂直部を垂下させ、該垂直部の内方に、下部が垂直部に漸近するように傾斜する傾斜部を設け、前記垂直部と傾斜部との間の空間部にクリップローラを挿入し、前記垂直部とクリップローラとの間でペーパーをクリップするものとしたことを特徴とする請求項１記載のスタンドボード。
【請求項４】
垂直部のペーパー挿入側の面を、ボード本体の表面と同一面、またはそれに近接する面としたことを特徴とする請求項２または３記載のスタンドボード。
【請求項５】
ペーパークリップ部を、ボード本体の両面に配設したことを特徴とする請求項１〜４のいずれか１項に記載のスタンドボード。
【請求項６】
ボード本体の表面を、平滑な筆記可能面としたことを特徴とする請求項１〜５のいずれか１項に記載のスタンドボード。
【請求項７】
ボード本体の上端面に当接する基部の幅方向中心部に、側面に凹凸が形成された係合片を形成し、該係合片をボード本体の上端面よりボード本体内に打ち込んだことを特徴とする請求項１〜６のいずれか１項に記載のスタンドボード。
【発明の詳細な説明】
【技術分野】
【０００１】
本発明は、間仕切り、衝立、筆記ボード、掲示板等として使用されるスタンドボードに関する。
【背景技術】
【０００２】
従来、上下方向を向くホワイトボードの上端部にペーパークリップを設けた構造のものは知られている（例えば、特許文献１参照）。
【特許文献１】実用新案登録第３０１８５２２号公報（第１図）
【発明の開示】
【発明が解決しようとする課題】
【０００３】
しかし、上記従来のものは、ボード本体の前面にペーパークリップを設けた構造であるため、クリップ本体や締付ナット等がボード本体の表面に露出してしまい、美観を損なうばかりでなく、ナット締めでクリップ操作を行うので、ペーパークリップの操作が煩雑である。また、別体のペーパークリップをボード本体に取付ける必要があり、加工工数およびコストがかかるという問題がある。
【０００４】
本発明は、従来の技術が有する上記のような問題点に鑑み、別体のクリップを使用することなく、ペーパークリップ機能を持たせた、加工工数が少なく、低コストのスタンドボードを提供することを目的としている。
【課題を解決するための手段】
【０００５】
本発明によると、上記課題は、次のようにして解決される。
(１)  上下方向を向くボード本体と、該ボード本体の上部に取付けられた上枠と、ボード本体の下部に取付けられた支持脚とを備えるスタンドボードにおいて、前記上枠に、ペーパーをクリップするペーパークリップ部を設ける。
【０００６】
(２)  上記(１)項において、ペーパークリップ部を、ボード本体の上端面に当接する基部から垂直部を垂下させ、該垂直部の外方に、下部が垂直部に漸近するように傾斜する傾斜部を設け、前記垂直部と傾斜部との間の空間部にクリップローラを挿入し、前記垂直部とクリップローラとの間でペーパーをクリップするものとする。
【０００７】
(３)  上記(１)項において、ペーパークリップ部を、ボード本体の上端面に当接する基部から垂直部を垂下させ、該垂直部の内方に、下部が垂直部に漸近するように傾斜する傾斜部を設け、前記垂直部と傾斜部との間の空間部にクリップローラを挿入し、前記垂直部とクリップローラとの間でペーパーをクリップするものとする。
【０００８】
(４)  上記(２)または(３)項において、垂直部のペーパー挿入側の面を、ボード本体の表面と同一面、またはそれに近接する面とする。
【０００９】
(５)  上記(１)〜(４)項のいずれかにおいて、ペーパークリップ部を、ボード本体の両面に配設する。
【００１０】
(６)  上記(１)〜(５)項のいずれかにおいて、ボード本体の表面を、平滑な筆記可能面とする。
【００１１】
(７)  上記(１)〜(６)項のいずれかにおいて、ボード本体の上端面に当接する基部の幅方向中心部に、側面に凹凸が形成された係合片を形成し、該係合片をボード本体の上端面よりボード本体内に打ち込む。
【発明の効果】
【００１２】
本発明によると、次のような効果を奏することができる。
(ａ)請求項１記載の発明によると、上枠にペーパークリップ部を設けたので、別体のペーパークリップ部を取付ける必要がなくなり、構成が簡単で加工工数も少なくて済み、コストを低減できるとともに、ペーパークリップ部が上枠に収まり、体裁のよいスタンドボードが得られる。
【００１３】
(ｂ)請求項２記載の発明によると、上枠の垂直部と傾斜部との間の空間部にクリップローラを挿入し、垂直部とクリップローラとの間でペーパーをクリップするようにしたので、ペーパーは楔作用でクリップでき、ばね、ねじ等の他のクリップ手段が不要になるとともに、外側の傾斜部がカバーの役目を果たし、クリップ部は外から見えないので美観を保つことができる。
【００１４】
(ｃ)請求項３記載の発明によると、上枠の垂直部と傾斜部との間の空間部にクリップローラを挿入し、垂直部とクリップローラとの間でペーパーをクリップするようにしたので、ペーパーは楔作用でクリップでき、ばね、ねじ等の他のクリップ手段が不要になるとともに、外側の垂直部がカバーの役目を果たし、クリップ部は外から見えないので美観を保つことができる。また、垂直部より内側とした傾斜部を、ボード本体の板厚内に配設すれば、垂直部をボード本体の表面に近接させることができ、美観をさらに向上させることができる。
【００１５】
(ｄ)請求項４記載の発明によると、ペーパークリップ部にクリップされたペーパーは、ボード本体の表面と近接し、吊下げられたペーパーに筆記するとき、ボード本体が下敷きの役目を果たし、筆記しやすくなる。
【００１６】
(ｅ)請求項５記載の発明によると、ペーパークリップ部をボード本体の両面に配置したので、両面にペーパーを掲示することができる。
【００１７】
(ｆ)請求項６記載の発明によると、ボード本体の表面を平滑な筆記可能面としたので、ボード本体に筆記できるとともに、クリップしたペーパーに筆記するときは、ボード本体の表面が下段となって、筆記し易くなる。
【００１８】
(ｇ) 請求項７記載の発明によると、上枠を確実にボード本体に固定することができる。
【発明を実施するための最良の形態】
【００１９】
以下、本発明の一実施形態を，図面に基づいて説明する。
図１は、本発明の第１の実施形態を示す正面図、図２はその側面図である。
【００２０】
同図に示すように、スタンドボード(１)は、上下方向を向くボード本体(２)と、このボード本体(２)の上端縁および下端縁の各々に取付けられた上枠(３)および下枠(４)と、下枠(４)に取付けられた複数本の支持脚(５)とにより構成されている。このボード本体(２)は、筆記ボードとして使用するときは、表面を筆記可能面とするが、掲示板、間仕切り、衝立等として使用するときは筆記可能面とする必要はない。
【００２１】
図３は、図１のIII−III線断面図である。
同図に示すように、上枠(３)は、上面に形成された基部(６)の下面の中央に、両側に凹凸(7a)が形成された係合片(７)が垂下され、両側部には１対のペーパークリップ部(８)が形成されたものである。このペーパークリップ部(８)は、基部(６)から垂下された相対向する前後１対の垂直部(９)と、この垂直部(９)の外方に、下部が垂直部(９)に漸近するように傾斜して下方に延びる傾斜部(10)とを備えている。
【００２２】
係合片(７)をボード本体(２)の上端面に打ち込んで、摩擦係合させるとともに、垂直部(９)でボード本体(２)の上部両面を狭持している。この垂直部(９)と傾斜部(10)の内側の空間部(11)にクリップローラ(12)が挿入されている。このクリップローラ(12)は、ペーパークリップ部(８)の全長にわたって配置されている。
【００２３】
クリップローラ(12)と垂直部(９)との間に下からペーパー(Ｐ)を挿入し、そのままペーパー(Ｐ)を引き下げると、傾斜部(10)とクリップローラ(12)との楔作用により、クリップローラ(12)と垂直部(９)との間でペーパー(Ｐ)が挟み込まれ、ペーパー(Ｐ)はボード本体(２)の前面に吊り下げられる。垂直部(９)の外面とボード本体(２)の表面とを同一面としておくと、吊下げたペーパー(Ｐ)に筆記する際、ボード本体(２)が下敷きの役割を果たすので、筆記しやすい。
【００２４】
図４は、本発明の第２の実施形態を示している。
同図に示すように、この上枠(３)は、上面に形成された基部(６)の下面の中央に、両側に凹凸(7a)が形成された係合片(７)が垂下され、両側部には１対のペーパークリップ部(８)が形成されたもので、このペーパークリップ部(８)が第１の実施形態と異なった構造となっている。
【００２５】
すなわち、このペーパークリップ部(８)は、基部(６)から垂下された相対向する１対の垂直部(９)が最外側に形成され、この垂直部(９)の内方に、この垂直部(９)との間隔が、下方に向かって漸次狭まるように外下方に傾斜して下方に延びる傾斜部(10)が形成されている。係合片(７)をボード本体(２)の上端部に形成された幅小溝(2a)に挿入して摩擦係合させるとともに、傾斜部(10)で幅小溝(2a)が形成されたボード本体(２)の上端部における幅狭部分の上部の両面を狭持している。この垂直部(９)と傾斜部(10)の内側の空間(11)に、クリップローラ(12)が挿入されている。垂直部(９)の下端部には、外下方を向く折曲部(9a)が形成されている。
【００２６】
クリップローラ(12)と垂直部(９)との間に下からペーパー(Ｐ)を挿入し、そのままペーパー(Ｐ)を引き下げると、傾斜部(10)とクリップローラ(12)との楔作用により、クリップローラ(12)と垂直部(９)との間でペーパー(Ｐ)が挟み込まれ、ペーパー(Ｐ)はボード本体(２)の前面に吊り下げられる。垂直部(９)の内面とボード本体(２)の表面を同一面としておくと、吊下げたペーパー(Ｐ)に筆記する際、ボード本体(２)が下敷きの役割を果たすので、筆記しやすい。
【００２７】
上記の各実施形態では、上枠(３)の両側にペーパークリップ部(12)を設けることにより、ボード本体(３)の両面にペーパークリップ機能を持たせる構成となっているが、いずれか一方のみでもよい。
【００２８】
以上のように、上枠(３)にペーパークリップ部(８)を設けたので、別体のペーパークリップ部を取付ける必要がなくなり、構成が簡単で加工工数も少なくて済み、コストを低減できる。
【００２９】
また、上枠(３)の垂直部(９)と傾斜部(10)との間の空間部(11)にクリップローラ(12)を挿入し、垂直部(９)とクリップローラ(12)との間でペーパー(Ｐ)をクリップするようにしたので、ペーパーは楔作用でクリップでき、ばね、ねじ等の他のクリップ手段が不要になるとともに、第１の実施形態では外側の傾斜部(10)、第２の実施形態では外側の垂直部(９)がカバーの役目を果たし、クリップ部は外から見えないので、美観を保つことができる。
【図面の簡単な説明】
【００３０】
【図１】本発明の第１の実施形態の正面図である。
【図２】同じく、側面図である。
【図３】図１のIII−III線拡大断面図である。
【図４】第２の実施形態における、図３に対応した縦断側面図である。
【符号の説明】
【００３１】
(１)スタンドボード
(２)ボード本体
(2a)幅小溝
(３)上枠
(４)下枠
(５)支持脚
(６)基部
(７)係合片
(7a)凹凸
(８)ペーパークリップ部
(９)垂直部
(10)傾斜部
(11)空間部
(12)クリップローラ
(Ｐ)ペーパー
【図１】
2005144689.tif 000003
【図２】
2005144689.tif 000004
【図３】
2005144689.tif 000005
【図４】
2005144689.tif 000006